Podtech/llm-jp-corpus-v4-ja_patent huggingface dataset:
【手続補正書】
【提出日】平成22年11月6日(2010.11.6)
【手続補正１】
【補正対象書類名】特許請求の範囲
【補正対象項目名】全文
【補正方法】変更
【補正の内容】
【特許請求の範囲】
【請求項１】
選択的にＯ−アセチル基が富化され、粒子又は固体担体に結合したβ−１，６−グルカンを含有する組成物。
【請求項２】
請求項１記載の組成物であって、当該組成物は、標的部分に結合したものである、組成物。
【請求項３】
選択的にＯ−アセチル基が富化され、標的部分に結合したβ−１，６−グルカンを含有する組成物。
【請求項４】
請求項１〜３のいずれかに記載の組成物であって、前記β−１，６−β−グルカンは、Ｏ−アセチル基が富化されたものである。
【請求項５】
請求項１〜３のいずれかに記載の組成物であって、
（ａ）前記グルカンは、少なくとも２５重量％のＯ−アセチルグルカンを含むものであるか、
（ｂ）前記グルカンは、地衣類、真菌、酵母又はイワタケ（Ｕｍｂｉｌｉｃａｒｉａｃｃａｅ）から単離又は由来するであるか、
（ｃ）前記グルカンは、遺伝子操作されたもの、化学合成されたもの、又はアセチル化されたものであるか、或いは
（ｄ）さらに、アジュバント、抗原、免疫調節化合物、又はそれらの組み合わせを含むものである
組成物。
【請求項６】
請求項１〜４のいずれか１つに記載の組成物であって、この組成物は、免疫反応を調節するために使用されるものである、組成物。
【請求項７】
請求項１〜５のいずれか１つに記載の組成物において、
（ａ）前記免疫反応の調節は、前記免疫反応の刺激を含むものであるか、
（ｂ）前記免疫反応は抗原特異的反応であるか、
（ｃ）前記組成物はさらに、化学療法化合物又は免疫刺激化合物を含むものであるか、
（ｄ）前記免疫反応は、補体依存性であるか、
（ｅ）前記免疫反応は、感染性病原体、癌、前癌病変部、又はそれらの組み合わせに対する反応であるか、或いは
（ｆ）前記免疫反応の調節は、当該免疫反応の抑制的調節又は無効なものとする工程を含むものである
組成物。
【請求項８】
請求項７記載の組成物において、
（ａ）前記感染性病原体は、肺血症を引き起こすものであるか、
（ｂ）前記感染性病原体は、寄生虫、寄生蠕虫、ウイルス、またはバクテリアであるか、
（ｃ）前記組成物は、さらに、免疫抑制剤を含むものであるか、或いは
（ｄ）前記免疫応答は、自己抗原、アレルゲン、移植組織又は細胞に対するものである
組成物。
【請求項９】
請求項１又は２のいずれかの組成物において、当該組成物は、
（ａ）さらに、アジュバント、抗原、免疫調節化合物、又はそれらの組み合わせを含むものであるか、
（ｂ）前記粒子は、ミクロスフェア又はナノ粒子であるか、
（ｃ）前記粒子は、少なくとも５０重量％のβ−１，６−グルカンを含むものであるか、
（ｄ）前記粒子はグルカンを含み、当該グルカンの少なくとも５０％はβ−１，６−グルカンであるか、
（ｅ）前記β−１，６−グルカンは、前記粒子中に均一に分配されているものであるか、或いは、
前記粒子は、好中球、単球、樹状細胞のマクロファージに対して適切な大きさを有するものである、
組成物。
【請求項１０】
請求項１〜４のいずれか１つの組成物において、当該組成物は、対象における癌又は感染を治療、それらの進行を遅延させる、それらの寛解を引き延ばす、或いはそれらの発症率或いは重症度を抑制するために使用されるものである、組成物。
【請求項１１】
請求項１０記載の組成物において、この組成物は、
（ａ）さらに、アジュバント、抗原、ペプチド、免疫刺激化合物、化学療法化合物、又はそれらの組み合わせを含むものであるか、
（ｂ）前記対象は、過形成又は前癌性病変を有するものである
組成物。
【請求項１２】
請求項１１記載の組成物において、
（ａ）前記抗原又はペプチドは、腫瘍関連抗原又は感染源由来の抗原であるか、
（ｂ）前記免疫刺激化合物は、サイトカインであるか、
（ｃ）前記標的部分は特に腫瘍関連抗原又は前癌性細胞と相互作用するものであるか、或いは、
（ｄ）前記化学療法化合物は、抗生物質又は抗ウイルス化合物である
組成物。
【請求項１３】
インビトロにおいて細胞における熱ショックタンパク質の発現を刺激又は促進する方法であって、当該方法は、請求項１〜４のいずれか１つの組成物と、前記細胞とを接触させる工程を含むものである、方法。
【請求項１４】
請求項１３記載の方法において、
（ａ）前記グルカンは粒子に結合しているものであるか、
（ｂ）前記細胞は抗原提示細胞であるか、
（ｃ）前記細胞は好中球であるか、或いは、
（ｄ）前記細胞は感染しているものである
方法。
【請求項１５】
請求項１〜４のいずれか１つに記載の組成物であって、当該組成物は、薬学的組成物、食物又は食品、補助食品、又は化粧品組成物である、組成物。
【請求項１６】
請求項１３記載の組成物において、当該組成物は、無処理β−１，６−グルカンと比べて、反応調節能力が増強されるように処理されたβ−１，６−グルカンを含むものであるか、或いは、当前記組成物中に含まれるグルカンの少なくとも５０％がβ−１，６−グルカンである、組成物。
【請求項１７】
請求項１〜４のいずれか１つに記載の組成物を含むミセル。
【請求項１８】
生分解性ポリマー中に請求項１〜４のいずれか１つに記載の組成物を含む組成物であって、前記生分解性ポリマーは、分解されて生物学的に活性なサリチル酸又はα−ヒドロキシ酸部分を形成するものである、組成物。
【請求項１９】
請求項１８記載の組成物を含む粒子又は医療用具。
【請求項２０】
医療用具であって、インプラント又は当該用具の表面の少なくとも一部は、請求項１〜４のいずれか１つの組成物が含むものであるか、或いは前記組成物によって被覆されたものである、医療用具。
【請求項２１】
請求項１８記載の医療用具であって、当該医療用具は、カテーテル、ステント、弁、ペースメーカー、中心線、ペッサリー、チューブ、シャント、給餌チューブ、排液管、整形外科用デバイスから選択されるものであるか、或いは前記ポリマーは生分解性である、医療用具。
【請求項２２】
被覆物であって、
（ａ）基質と、
（ｂ）前記基質表面の少なくとも一部と物理的に相互作用した請求項１〜４のいずれか１つに記載の組成物であって、当該組成物は選択的にゲル又はフィルムの形態である、組成物と
を含む、被覆物。
【請求項２３】
請求項２２記載の被覆物であって、
（ａ）前記組成物はポリマーを含むものであるか、
（ｂ）前記組成物は、生分解性ポリマーを含むものであるか、或いは、
（ｃ）前記基質は金属、セラミック、又はポリマーの少なくとも一部から成るものである
被覆物。
【請求項２４】
請求項２または３のいずれかに記載の組成物であって、前記標的部分は、抗原、抗原フラグメント、ペプチド、又は小分子である、組成物。
【請求項２５】
請求項２４記載の組成物であって、前記標的部分は、腫瘍、抗原、感染細胞、腫瘍性細胞、前癌性細胞、病原菌又はそれらの成分と結合するものである、組成物。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
ヒトＧＭ−ＣＳＦもしくはそのフラグメントに結合する抗体またはその抗原結合フラグメントであって、抗体が、
（ａ）配列番号１に記載の配列を含んでなる可変軽鎖領域またはそのフラグメントもしくは変異体；
（ｂ）配列番号２に記載の配列を含んでなる可変重鎖配列またはそのフラグメントもしくは変異体；または
（ｃ）配列番号１に記載の配列を含んでなる可変軽鎖領域またはそのフラグメントもしくは変異体、および配列番号２に記載の可変重鎖配列またはそのフラグメントもしくは変異体
を含んでなる、抗体またはその抗原結合フラグメント。
【請求項２】
抗体が、ＧＭ−ＣＳＦの活性を阻害するマウスモノクローナル抗体またはそのヒト化誘導体である、請求項１に記載の抗体または抗原結合フラグメント。
【請求項３】
抗体が、２００７年５月１７日に受託番号０７０５１６０１で、Ｅｕｒｏｐｅａｎ  Ｃｏｌｌｅｃｔｉｏｎ  ｏｆ  Ｃｅｌｌ  Ｃｕｌｔｕｒｅｓ（ＥＣＡＣＣ）（Ｃｅｎｔｒｅ  ｆｏｒ  Ａｐｐｌｉｅｄ  Ｍｉｃｒｏｂｉｏｌｏｇｙ  ａｎｄ  Ｒｅｓｅａｒｃｈ，Ｐｏｒｔｏｎ  Ｄｏｗｎ，  Ｓａｌｉｓｂｕｒｙ，  Ｕｎｉｔｅｄ  Ｋｉｎｇｄｏｍ）に寄託されたマウスモノクローナル抗体４Ｋ２１である、請求項１または２に記載の抗体またはその抗原結合フラグメント。
【請求項４】
２００７年５月１７日に受託番号０７０５１６０１で、Ｅｕｒｏｐｅａｎ  Ｃｏｌｌｅｃｔｉｏｎ  ｏｆ  Ｃｅｌｌ  Ｃｕｌｔｕｒｅｓ（ＥＣＡＣＣ）（Ｃｅｎｔｒｅ  ｆｏｒ  Ａｐｐｌｉｅｄ  Ｍｉｃｒｏｂｉｏｌｏｇｙ  ａｎｄ  Ｒｅｓｅａｒｃｈ，Ｐｏｒｔｏｎ  Ｄｏｗｎ，  Ｓａｌｉｓｂｕｒｙ，  Ｕｎｉｔｅｄ  Ｋｉｎｇｄｏｍ）に寄託されたマウスモノクローナル抗体４Ｋ２１のヒト化形態。
【請求項５】
可変軽鎖領域が、配列番号９〜１１のいずれか１つに記載の配列またはそのフラグメントもしくは変異体を含んでなる、請求項４に記載のマウスモノクローナル抗体４Ｋ２１のヒト化形態。
【請求項６】
可変重鎖領域が、配列番号１３〜１５、１７または１８〜２７のいずれか１つに記載の配列またはそのフラグメントもしくは変異体を含んでなる、請求項４または５に記載のマウスモノクローナル抗体４Ｋ２１のヒト化形態。
【請求項７】
ヒトＧＭ−ＣＳＦもしくはそのフラグメントに結合する抗体またはその抗原結合フラグメントであって、抗体が、軽鎖可変領域内に、配列番号３〜５のいずれか１つに記載の配列を含んでなる少なくとも１つの相補性決定領域（ＣＤＲ）を含んでなり、ここで、抗体またはその抗原結合フラグメントが、ＧＭ−ＣＳＦの活性を阻害する、ヒトＧＭ−ＣＳＦもしくはそのフラグメントに結合する抗体またはその抗原結合フラグメント。
【請求項８】
ヒトＧＭ−ＣＳＦもしくはそのフラグメントに結合する抗体またはその抗原結合フラグメントであって、抗体が、重鎖可変領域に、配列番号６〜８のいずれか１つに記載の配列を含んでなる少なくとも１つの相補性決定領域（ＣＤＲ）を含んでなり、ここで、抗体またはその抗原結合フラグメントが、ＧＭ−ＣＳＦの活性を阻害する、ヒトＧＭ−ＣＳＦもしくはそのフラグメントに結合する抗体またはその抗原結合フラグメント。
【請求項９】
ヒトＧＭ−ＣＳＦもしくはそのフラグメントに結合する抗体またはその抗原結合フラグメントであって、抗体が、軽鎖可変領域内に、配列番号３〜５のいずれか１つに記載の配列を含んでなる少なくとも１つの相補性決定領域（ＣＤＲ）、および重鎖可変領域内に、配列番号６〜８のいずれか１つに記載の配列を含んでなる少なくとも１つの相補性決定領域（ＣＤＲ）を含んでなる、ヒトＧＭ−ＣＳＦもしくはそのフラグメントに結合する抗体またはその抗原結合フラグメント。
【請求項１０】
抗体がヒト化抗体である、請求項７〜９のいずれか１項に記載の抗体またはその抗原結合フラグメント。
【請求項１１】
配列番号９、配列番号１０もしくは配列番号１１に記載の配列を含んでなる可変軽鎖領域またはそのフラグメントもしくは変異体を含んでなる請求項１０に記載のヒト化抗体またはその抗原結合フラグメント。
【請求項１２】
配列番号１３、配列番号１４、配列番号１５もしくは配列番号１７に記載の配列を含んでなる可変重鎖領域またはそのフラグメントもしくは変異体を含んでなる請求項１０または１１に記載のヒト化抗体またはその抗原結合フラグメント。
【請求項１３】
可変重鎖領域が、配列番号１３に記載の配列またはそのフラグメントもしくは変異体を含んでなる、請求項１２に記載のヒト化抗体またはその抗原結合フラグメント。
【請求項１４】
変種可変重鎖領域が、配列番号１３、配列番号１４、配列番号１５または配列番号１７に記載の配列のアミノ酸残基を、対応するマウス可変重鎖領域の対応する位置でアミノ酸残基と置き換える１つ以上のアミノ酸置換を含んでなる、請求項１２に記載のヒト化抗体またはその抗原結合フラグメント。
【請求項１５】
１つ以上のアミノ酸置換が、配列番号１３に記載の配列を含んでなる可変重鎖領域に対して行われる、請求項１４に記載のヒト化抗体またはその抗原結合フラグメント。
【請求項１６】
変種可変重鎖領域が、配列番号１８〜２７に記載の配列を含んでなる、請求項１５に記載のヒト化抗体またはその抗原結合フラグメント。
【請求項１７】
変種可変重鎖領域が、配列番号２７に記載の配列を含んでなる、請求項１６に記載のヒト化抗体またはその抗原結合フラグメント。
【請求項１８】
ヒト化抗体が：配列番号９および配列番号１３；配列番号９および配列番号１４；配列番号９および配列番号１５；配列番号９および配列番号１７；配列番号１０および配列番号１３；配列番号１０および配列番号１４；配列番号１０および配列番号１５；配列番号１０および配列番号１７；配列番号１１および配列番号１３；配列番号１１および配列番号１４；配列番号１１および配列番号１５；配列番号１１および配列番号１７；ならびに配列番号１１および配列番号１８〜２７のいずれか１つから選択される可変軽鎖および重鎖配列を含んでなる、請求項１０〜１７のいずれか一項に記載のヒト化抗体またはその抗原結合フラグメント。
【請求項１９】
配列番号１〜２７のいずれか１つに記載のアミノ酸配列に少なくとも約７０％配列同一性を有するアミノ酸配列を含んでなる、抗体またはその抗原結合フラグメント。
【請求項２０】
ＧＭ−ＣＳＦ仲介疾患または病態、あるいはそれ以外の上昇したもしくは異常なＧＭ−ＣＳＦ発現および／もしくは活性に関連する疾患または病態の処置または防止用医薬の製造のための、請求項１〜１９のいずれか一項に記載の少なくとも１つの抗体またはその抗原結合フラグメントの、使用。
【請求項２１】
請求項１〜１９のいずれか一項に記載の１つ以上の抗体またはその抗原結合フラグメントを、場合により、適切な薬学的に許容可能なキャリアおよび／または希釈剤と共に含んでなる、医薬組成物。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
炎症性腸疾患を治療するための医薬の製造におけるIL-9のアンタゴニストの使用。
【請求項２】
炎症性腸疾患が潰瘍性大腸炎、クローン病、コラーゲン蓄積大腸炎、リンパ性大腸炎、空置大腸炎、またはベーチェット症候である、請求項１に記載の使用。
【請求項３】
炎症性腸疾患が潰瘍性大腸炎である、請求項２に記載の使用。
【請求項４】
COPDを治療するための医薬の製造におけるIL-9のアンタゴニストの使用。
【請求項５】
線維性障害を治療するための医薬の製造におけるIL-9のアンタゴニストの使用。
【請求項６】
線維性障害が肝硬変、糸球体腎炎、肺線維症、全身性線維症、関節リウマチ、強皮症、膵炎、および急性線維症である、請求項５に記載の使用。
【請求項７】
IL-9のアンタゴニストがIL-9に特異的な抗体である、請求項１，４または５に記載の使用。
【請求項８】
IL-9に特異的な抗体が4D4、4D4H2-1 D11、4D4com-XF-9、4D4com-2F-9、7F3、71A10、7F3 22D3、7F3com-2H2、7F3com-3H5、または7F3com-3D4あるいはそれらの断片である、請求項７に記載の使用。
【請求項９】
IL-9に特異的な抗体が7F3com-2H2である、請求項８に記載の使用。
【請求項１０】
7F3com-2H2抗体が1mg/kg、3mg/kg、5mg/kg、または9mg/kgの用量で投与される、請求項９に記載の使用。
【請求項１１】
IL-9に特異的な抗体が7F3com-2H2の6個のCDRを含む、請求項７に記載の使用。
【請求項１２】
IL-9に特異的な抗体がモノクローナル抗体、ヒト抗体、ヒト化抗体、キメラ抗体、単一Fv、FabフラグメントまたはF(ab')フラグメントである、請求項７に記載の使用。
【請求項１３】
IL-9に特異的な抗体を肺、鼻腔内、経口、皮下、皮内または非経口投与用に製剤する、請求項７に記載の使用。
【請求項１４】
さらにIL-9に特異的な抗体でない治療薬の使用を含む、請求項７に記載の使用。
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
カルバミン酸アンモニウムを中間体として生成することを伴う、高圧及び高温で、アンモニア及び二酸化炭素から尿素を合成する改良された方法であって、一般にストリッパと称される垂直型の装置において行われる、未転換のカルバミン酸アンモニウムのアンモニアでの分解・ストリッピングによる少なくとも１つの分離工程を含む高圧合成セクションを含み、前記工程が、前記方法に供給される新鮮なＣＯ2の総質量に対して１〜１５質量％の量の１３０〜２３０℃に加熱されたＣＯ2流れを前記ストリッパの下部へ供給することを含み、前記ＣＯ2流れが、不動態化剤を、そのＯ2のモル当量が前記流れのＣＯ2モルに対して０．０５％〜０．８０％となるような量で含有することを特徴とする方法。
【請求項２】
前記ストリッパに供給される前記加熱されたＣＯ2流れが、１５０〜２１０℃の温度を有する、請求項１に記載の方法。
【請求項３】
前記ストリッパに供給される前記加熱されたＣＯ2流れの量が、前記方法に供給される前記新鮮なＣＯ2の総質量に対して３〜１２質量％である、請求項１に記載の方法。
【請求項４】
反応器に供給される前記ＣＯ2流れが、１００〜２００℃、好ましくは１３０〜１８５℃の温度である、請求項１に記載の方法。
【請求項５】
前記新鮮なＣＯ2が、熱交換中間工程を備えた多段階型圧縮器において圧縮される、請求項１に記載の方法。
【請求項６】
前記ストリッパの底部に供給される前記ＣＯ2流れが、前記ＣＯ2圧縮器の１つ以上の中間工程において加熱される、請求項５に記載の方法。
【請求項７】
前記反応器に供給される前記ＣＯ2流れが、圧縮されたＣＯ2流れと、少なくとも、最高熱レベルを有する圧縮器の中間工程において加熱されたＣＯ2流れとの適切な割合の混合物から成る、請求項５に記載の方法。
【請求項８】
前記反応器に送られるＣＯ2の４〜１２質量％にあたる前記ストリッパに供給されるＣＯ2流れが、前記ＣＯ2圧縮器の１つ以上の熱交換中間工程において１６０〜２００℃の温度に加熱される、請求項５に記載の方法。
【請求項９】
カルバミン酸アンモニウムのアンモニアによる前記分解・ストリッピング工程が、自己ストリッピング工程である、請求項１に記載の方法。
【請求項１０】
前記不動態化剤が、そのＯ2のモル当量が前記流れのＣＯ2モルに対して０．１０〜０．４０％となるような量で存在する、請求項１に記載の方法。
【請求項１１】
前記不動態化剤が酸化剤である、請求項１に記載の方法。
【請求項１２】
前記酸化剤が、空気、酸素、酸素富化空気、過酸化水素又はこれらの混合物から選択される、請求項１１に記載の方法。
【請求項１３】
前記酸化剤が空気である、請求項１１に記載の方法。
【請求項１４】
請求項１〜１３のいずれかに記載の改良された尿素合成方法を実行するためのプラントであって、反応器Ｒ１が、ライン１０を通して、「自己ストリッピング」条件下での運転に適したストリッパＳ１に接続され、次に、前記ストリッパが、その下部において、ライン１１を通して尿素の分離及び精製セクションＰに接続され、その上部において、ライン１３を通してカルバメートの凝縮器ＣＣ１に接続され、次に、前記凝縮器ＣＣ１が、連続するライン１４、１７及び１６ａを通して前記反応器Ｒ１に接続され、前記反応器Ｒ１がまた、新鮮な二酸化炭素を供給するためのライン１５ａによって圧縮器Ｃに接続されている合成セクションを備え、前記圧縮器Ｃが、前記プラントに供給される新鮮なＣＯ2の全てに対して１〜１５質量％、好ましくは４〜１２質量％のＣＯ2流れを前記ストリッパに移動させるのに適したライン１５ｂを通して、前記ストリッパＳ１の下部に接続されていることを特徴とするプラント。
【請求項１５】
自己ストリッピング条件下での運転に適したストリッパを備えた尿素を合成するための既存のプラントを、前記プラントに供給される新鮮なＣＯ2の総質量に対して１〜１５質量％、好ましくは４〜１２質量％のＣＯ2流れを前記ストリッパそれ自体に供給するのに適した接続ラインをＣＯ2圧縮器と前記ストリッパの下部との間に設置することにより改良して得られる、請求項１４に記載のプラント。
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
一般式：
【化１】
2010527993.tif 000001
［式中、Ａは低級アルキレン基、Ｒはシクロアルキル基、カルボスチリル骨格の３位と４位間の結合は一重結合または二重結合を示す］
で示されるカルボスチリル誘導体またはその塩、およびドネペジルまたはその塩を有効成分として含むアルツハイマー病治療剤。
【請求項２】
カルボスチリル誘導体が６−［４−（１−シクロヘキシル−１Ｈ−テトラゾール−５−イル）ブトキシ］−３，４−ジヒドロカルボスチリルまたはその塩である請求項１に記載の治療剤。
【請求項３】
ドネペジルの塩が塩酸ドネペジルである請求項１または２に記載の治療剤。
【請求項４】
アルツハイマー病治療剤の製造における、請求項１または２に記載のカルボスチリル誘導体またはその塩と、塩酸ドネベジルまたはその塩の使用。
【請求項５】
ドネペジルの塩が塩酸ドネペジルである請求項４に記載の使用。
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
IFNαに結合し、その活性を調節する治療剤の候補として患者を同定する方法であって、
該患者に由来するサンプル中のIFNα誘導性PDマーカー発現プロフィールの存在又は非存在を検出することを含み、ここで、該IFNα誘導性PDマーカー発現プロフィールはIFI44、IFI6、SAMD9L、GBP1、OAS1、BIRC4BP、SRGAP2及びRSAD2の発現又は活性の上方調節を含み、
IFNαに誘導されるPDマーカー発現プロフィールの存在の検出が、IFNαに結合し、その活性を調節する治療剤の候補として該患者を同定する、
前記方法。
【請求項２】
前記患者が、狼瘡、特発性炎症性筋炎、シェーグレン症候群、血管炎、サルコイドーシス、乾癬、皮膚筋炎、多発性筋炎、封入体筋炎及び慢性関節リウマチから選択される障害を有すると診断された、請求項１に記載の方法。
【請求項３】
前記障害が狼瘡である、請求項２に記載の方法。
【請求項４】
前記治療剤が小分子又は生物学的薬剤である、請求項１に記載の方法。
【請求項５】
前記生物学的薬剤が抗体である、請求項４に記載の方法。
【請求項６】
前記抗体がMEDI-545である、請求項５に記載の方法。
【請求項７】
前記発現又は活性の上方調節が、1個以上の前記遺伝子の発現の少なくとも2倍の増加を含む、請求項１に記載の方法。
【請求項８】
前記発現又は活性の上方調節が、1個以上の前記遺伝子の発現の少なくとも3倍の増加を含む、請求項１に記載の方法。
【請求項９】
前記発現又は活性の上方調節が、1個以上の前記遺伝子のmRNAレベルの増加を含む、請求項１に記載の方法。
【請求項１０】
前記発現又は活性の上方調節が、1個以上の前記遺伝子のタンパク質レベルの増加を含む、請求項１に記載の方法。
【請求項１１】
前記発現又は活性の上方調節が、1個以上の前記遺伝子から発現されたタンパク質の酵素活性の増加を含む、請求項１に記載の方法。
【請求項１２】
前記サンプルが全血である、請求項１に記載の方法。
【請求項１３】
IFNαレベルの増加に関連する障害を有すると患者を診断する方法であって、
該患者に由来するサンプル中のIFNα誘導性PDマーカー発現プロフィールの存在又は非存在を検出することを含み、ここで、該IFNα誘導性PDマーカー発現プロフィールはIFI44、IFI6、SAMD9L、GBP1、OAS1、BIRC4BP、SRGAP2及びRSAD2の発現又は活性の上方調節を含み、
IFNαにより誘導されるPDマーカー発現プロフィールの存在の検出が、IFNαレベルの増加と関連する障害を有すると該患者を同定する、
前記方法。
【請求項１４】
前記障害が狼瘡、特発性炎症性筋炎、シェーグレン症候群、血管炎、サルコイドーシス、乾癬、皮膚筋炎、多発性筋炎、封入体筋炎及び慢性関節リウマチから選択される、請求項１３に記載の方法。
【請求項１５】
前記障害が狼瘡である、請求項１４に記載の方法。
【請求項１６】
IFNαにより媒介される障害を治療するための候補治療剤を同定する方法であって、
IFNα誘導性PDマーカー発現プロフィールを含む細胞と、薬剤とを接触させること、ここで、該IFNα誘導性PDマーカー発現プロフィールはIFI44、IFI6、SAMD9L、GBP1、OAS1、BIRC4BP、SRGAP2及びRSAD2の発現又は活性の上方調節を含み、及び、
該細胞のIFNαにより誘導されるPDマーカー発現プロフィールの変化の存在又は非存在を検出すること、
を含み、
前記IFNα誘導性PDマーカー発現プロフィールの遺伝子の上方調節の減少を含む変化の存在が、前記薬剤が候補治療剤であることを示す、
前記方法。
【請求項１７】
前記細胞がIFNαレベルの増加と関連する障害を有する患者から取得されたものである、請求項１６に記載の方法。
【請求項１８】
前記細胞が、前記IFNα誘導性PDマーカー発現プロフィールを誘導するようにIFNαで処理された細胞である、請求項１６に記載の方法。
【請求項１９】
請求項１に記載の遺伝子のいずれか1つの発現を特異的に検出するポリヌクレオチドを含むプローブのセット。
【請求項２０】
請求項１９に記載のプローブのセットのいずれかを含むキット。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
PPAR-ガンマ アゴニストの使用に起因する有害作用の防止のための、アセチル L-カルニチンまたはその医薬上許容される塩を含む医薬組成物。
【請求項２】
PPAR-ガンマ アゴニストが、式(I)のスピロラキシン
【化１】
2010527952.tif 000001
ならびにログリタゾン、ピオグリタゾンおよびロシグリタゾンからなる群から選択されるグリタゾン誘導体からなる群から選択される、請求項１に記載の医薬組成物。
【請求項３】
有害作用が、骨粗鬆症、体重増加および浮腫からなる群から選択される、請求項１または２に記載の医薬組成物。
【請求項４】
アセチル L-カルニチンの医薬上許容される塩が、塩化物、臭化物、オロト酸塩、アスパラギン酸塩、酸アスパラギン酸塩、酸クエン酸塩、クエン酸マグネシウム塩、リン酸塩、酸リン酸塩、フマル酸塩および酸フマル酸塩、フマル酸マグネシウム塩、乳酸塩、マレイン酸塩および酸マレイン酸塩、シュウ酸塩、酸シュウ酸塩、パモ酸塩、酸パモ酸塩、硫酸塩、酸硫酸塩、グルコースリン酸塩、酒石酸塩および酸酒石酸塩、グリセロリン酸塩、ムケート、酒石酸マグネシウム塩、2-アミノ-エタンスルホン酸塩、2-アミノ-エタンスルホン酸マグネシウム塩、メタンスルホン酸塩、酒石酸コリン塩、トリクロロ酢酸塩ならびにトリフルオロ酢酸塩からなる群から選択される、請求項１〜３のいずれかに記載の医薬組成物。
【請求項５】
活性成分としてアセチル L-カルニチンおよび PPAR-ガンマ アゴニストを含み、かつ、１以上の医薬上許容される希釈剤および/または賦形剤を含んでいてもよい、医薬組成物。
【請求項６】
PPAR-ガンマ アゴニストが、請求項２の式(I)のスピロラキシンならびにログリタゾン、ピオグリタゾンおよびロシグリタゾンからなる群から選択されるグリタゾン誘導体からなる群から選択される、請求項５に記載の医薬組成物。
【請求項７】
活性成分が、錠剤、小袋、カプセルまたはバイアルの形態における経口投与または非経口投与に適した固体または液体の形態である、請求項５または６に記載の医薬組成物。
【請求項８】
活性成分が、同時投与のための単一の医薬形態である、請求項５〜７のいずれかに記載の医薬組成物。
【請求項９】
活性成分が、別々の容器中に存在し、かつ、協調した逐次的方法で投与される、請求項５〜８のいずれかに記載の医薬組成物。
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010527985.tif 000001
（Ｉ）
［式中、
Ｒ1およびＲ2は各々独立して、水素、アルキル、アルケニル、アリール、シクロアルキル、アロイルであるか、またはＲ1およびＲ2は、その隣接窒素原子とともにヘテロ環を形成し；
Ｘは、ＯまたはＳであり；
ｎは、１または２である］
の（チオ）カルバモイルシクロヘキサン誘導体、および／またはその幾何異性体および／または立体異性体および／またはジアステレオマーおよび／または塩および／または水和物および／または溶媒和物および／または多形の治療上の有効量を含む、急性躁病の治療剤。
【請求項２】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン、および／またはその塩および／または水和物および／または溶媒和物および／または多形である、請求項１の治療剤。
【請求項３】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン塩酸塩、および／またはその水和物および／または溶媒和物および／または多形である、請求項１の治療剤。
【請求項４】
式（Ｉ）の化合物の治療上の有効量が約０.１〜１２ｍｇである、請求項１〜３のいずれか一つの治療剤。
【請求項５】
式（Ｉ）の化合物の治療上の有効量が約０.５ｍｇである、請求項４の治療剤。
【請求項６】
式（Ｉ）の化合物の治療上の有効量が約１.０ｍｇである、請求項４の治療剤。
【請求項７】
式（Ｉ）の化合物の治療上の有効量が約１.５ｍｇである、請求項４の治療剤。
【請求項８】
式（Ｉ）の化合物の治療上の有効量が約３ｍｇである、請求項４の治療剤。
【請求項９】
式（Ｉ）の化合物の治療上の有効量が約４.５ｍｇである、請求項４の治療剤。
【請求項１０】
式（Ｉ）の化合物の治療上の有効量が約６ｍｇである、請求項４の治療剤。
【請求項１１】
式（Ｉ）の化合物の治療上の有効量が約９ｍｇである、請求項４の治療剤。
【請求項１２】
式（Ｉ）の化合物の治療上の有効量が約１２ｍｇである、請求項４の治療剤。
【請求項１３】
式（Ｉ）の化合物を１日１回、２回、３回または４回に分けて投与する、請求項４〜１２のいずれか一つの治療剤。
【請求項１４】
急性躁病が双極性障害を伴う、請求項４〜１３のいずれか一つの治療剤。
【請求項１５】
該双極性障害がＩ型双極性障害である、請求項１４の治療剤。
【請求項１６】
該双極性障害がＩＩ型双極性障害である、請求項１４の治療剤。
【請求項１７】
該双極性障害が気分循環性障害である、請求項１４の治療剤。
【請求項１８】
急性躁病が急性躁病エピソードおよび混合エピソードを伴う、請求項４〜１３のいずれか一つの治療剤。
【請求項１９】
急性躁病の治療剤の製造における、式（Ｉ）：
【化２】
2010527985.tif 000002
（Ｉ）
［式中、
Ｒ1およびＲ2は各々独立して、水素、アルキル、アルケニル、アリール、シクロアルキル、アロイルであるか、またはＲ1およびＲ2は、その隣接窒素原子とともにヘテロ環を形成し；
Ｘは、ＯまたはＳであり；
ｎは、１または２である］
の（チオ）カルバモイルシクロヘキサン誘導体、および／またはその幾何異性体および／または立体異性体および／またはジアステレオマーおよび／または塩および／または水和物および／または溶媒和物および／または多形の治療上の有効量の使用。
【請求項２０】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン、および／またはその塩および／または水和物および／または溶媒和物および／または多形であることを特徴とする、請求項１９の使用。
【請求項２１】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン塩酸塩、および／またはその水和物および／または溶媒和物および／または多形であることを特徴とする、請求項１９の使用。
【請求項２２】
式（Ｉ）の化合物の治療上の有効量が約０.１〜１２ｍｇであることを特徴とする、請求項１９〜２１のいずれか一つの使用。
【請求項２３】
式（Ｉ）の化合物の治療上の有効量が約０.５ｍｇであることを特徴とする、請求項２２の使用。
【請求項２４】
式（Ｉ）の化合物の治療上の有効量が約１.０ｍｇであることを特徴とする、請求項２２の使用。
【請求項２５】
式（Ｉ）の化合物の治療上の有効量が約１.５ｍｇであることを特徴とする、請求項２２の使用。
【請求項２６】
式（Ｉ）の化合物の治療上の有効量が約３.０ｍｇであることを特徴とする、請求項２２の使用。
【請求項２７】
式（Ｉ）の化合物の治療上の有効量が約４.５ｍｇであることを特徴とする、請求項２２の使用。
【請求項２８】
式（Ｉ）の化合物の治療上の有効量が約６ｍｇであることを特徴とする、請求項２２の使用。
【請求項２９】
式（Ｉ）の化合物の治療上の有効量が約９ｍｇであることを特徴とする、請求項２２の使用。
【請求項３０】
式（Ｉ）の化合物の治療上の有効量が約１２ｍｇであることを特徴とする、請求項２２の使用。
【請求項３１】
式（Ｉ）の化合物の治療上の有効量を１日１回、２回、３回または４回に分けて投与することを特徴とする、請求項２２〜３０のいずれか一つの使用。
【請求項３２】
急性躁病が双極性障害を伴うことを特徴とする、請求項２２〜３１のいずれか一つの使用。
【請求項３３】
該双極性障害がＩ型双極性障害であることを特徴とする、請求項３２の使用。
【請求項３４】
該双極性障害がＩＩ型双極性障害であることを特徴とする、請求項３２の使用。
【請求項３５】
該双極性障害が気分循環性障害であることを特徴とする、請求項３２の使用。
【請求項３６】
該急性躁病が急性躁病エピソードおよび混合エピソードを伴う、請求項２２〜３１のいずれか一つの使用。
【手続補正書】
【提出日】平成23年5月16日(2011.5.16)
【手続補正１】
【補正対象書類名】明細書
【補正対象項目名】０００４
【補正方法】変更
【補正の内容】
【０００４】
癌の処置への可能性がある前臨床試験中の一つの特定のクラスの治療剤は、ＡＴＭ(血管拡張性失調症変異)の阻害剤である。ＡＴＭは、ＤＮＡ二本鎖切断(ＤＳＢ)の検出における重要なタンパク質であり、この情報の細胞サイクル機構へのシグナル伝達はキナーゼＡＴＭ(血管拡張性失調症変異)である(Durocher and Jackson (2001) DNA-PK, ATM and ATR as sensors of DNA damage: variations on a theme? Curr Opin Cell Biol., 13:225-31, Abraham (2001) Cell cycle checkpoint signaling through the ATM and ATR kinases. Genes Dev., 15; 2177-96)。
【手続補正２】
【補正対象書類名】明細書
【補正対象項目名】００１２
【補正方法】変更
【補正の内容】
【００１２】
発明の詳細な説明
本発明は、ＣＨＫ阻害剤、またはその薬学的に許容される塩と、ＡＴＭ阻害剤、またはその薬学的に許容される塩を含む組み合わせ物に関する。この組み合わせ物は癌の処置または予防のための方法において有用である。癌の例は、食道癌、骨髄腫、肝細胞、膵臓、頚部癌、ユーイング(ewings)腫瘍、神経芽腫、カポジ(kaposis)肉腫、卵巣癌、乳癌、結腸直腸癌、前立腺癌、膀胱癌、黒色腫、肺癌  −  非小細胞肺癌(ＮＳＣＬＣ)、および小細胞肺癌(ＳＣＬＣ)、胃癌、頭頚部癌、脳の癌、腎臓癌、リンパ腫および白血病を含む。
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010527984.tif 000001
（Ｉ）
［式中、
Ｒ1およびＲ2は各々独立して、水素、アルキル、アルケニル、アリール、シクロアルキル、アロイルであるか、またはＲ1およびＲ2は、その隣接窒素原子とともにヘテロ環を形成し；
Ｘは、ＯまたはＳであり；
ｎは、１または２である］
の（チオ）カルバモイルシクロヘキサン誘導体、および／またはその幾何異性体および／または立体異性体および／またはジアステレオマーおよび／または塩および／または水和物および／または溶媒和物および／または多形の治療上の有効量を含む、統合失調症の治療剤。
【請求項２】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン、および／またはその塩および／または水和物および／または溶媒和物および／または多形である、請求項１の治療剤。
【請求項３】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン塩酸塩、および／またはその水和物および／または溶媒和物および／または多形である、請求項１の治療剤。
【請求項４】
式（Ｉ）の化合物の治療上の有効量が約０.１〜１２ｍｇである、請求項１〜３のいずれか一つの治療剤。
【請求項５】
式（Ｉ）の化合物の治療上の有効量が約０.５ｍｇである、請求項４の治療剤。
【請求項６】
式（Ｉ）の化合物の治療上の有効量が約１.０ｍｇである、請求項４の治療剤。
【請求項７】
式（Ｉ）の化合物の治療上の有効量が約１.５ｍｇである、請求項４の治療剤。
【請求項８】
式（Ｉ）の化合物の治療上の有効量が約３ｍｇである、請求項４の治療剤。
【請求項９】
式（Ｉ）の化合物の治療上の有効量が約４.５ｍｇである、請求項４の治療剤。
【請求項１０】
式（Ｉ）の化合物の治療上の有効量が約６ｍｇである、請求項４の治療剤。
【請求項１１】
式（Ｉ）の化合物の治療上の有効量が約９ｍｇである、請求項４の治療剤。
【請求項１２】
式（Ｉ）の化合物の治療上の有効量が約１２ｍｇである、請求項４の治療剤。
【請求項１３】
式（Ｉ）の化合物を１日１回、２回、３回または４回に分けて投与する、請求項４〜１２のいずれか一つの治療剤。
【請求項１４】
式（Ｉ）の化合物が統合失調症の認知症状の治療に治療効果を提供する、請求項４〜１３のいずれか一つの治療剤。
【請求項１５】
式（Ｉ）の化合物が統合失調症の陰性症状の治療に治療効果を提供する、請求項４〜１３のいずれか一つの治療剤。
【請求項１６】
式（Ｉ）の化合物が統合失調症の陽性症状の治療に治療効果を提供する、請求項４〜１３のいずれか一つの治療剤。
【請求項１７】
式（Ｉ）の化合物が統合失調症の情動性および残存症状の治療に治療効果を提供する、請求項４〜１３のいずれか一つの治療剤。
【請求項１８】
式（Ｉ）の化合物が統合失調症の二次的な社会的および職業的機能障害の治療に治療効果を提供する、請求項４〜１３のいずれか一つの治療剤。
【請求項１９】
式（Ｉ）の化合物が統合失調症様障害および統合失調感情障害の治療に治療効果を提供する、請求項４〜１３のいずれか一つの治療剤。
【請求項２０】
式（Ｉ）の化合物を一つ以上の別の治療剤への補助治療として投与する、請求項４〜１９のいずれか一つの治療剤。
【請求項２１】
式（Ｉ）の化合物を一つ以上の別の治療剤との併用療法として同時投与する、請求項４〜１９のいずれか一つの治療剤。
【請求項２２】
統合失調症の治療剤の製造における、式（Ｉ）：
【化２】
2010527984.tif 000002
（Ｉ）
［式中、
Ｒ1およびＲ2は各々独立して、水素、アルキル、アルケニル、アリール、シクロアルキル、アロイルであるか、またはＲ1およびＲ2は、その隣接窒素原子とともにヘテロ環を形成し；
Ｘは、ＯまたはＳであり；
ｎは、１または２である］
の（チオ）カルバモイルシクロヘキサン誘導体、および／またはその幾何異性体および／または立体異性体および／またはジアステレオマーおよび／または塩および／または水和物および／または溶媒和物および／または多形の治療上の有効量の使用。
【請求項２３】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン、および／またはその塩および／または水和物および／または溶媒和物および／または多形であることを特徴とする、請求項２２の使用。
【請求項２４】
式（Ｉ）の化合物が、ｔｒａｎｓ−４−｛２−［４−（２，３−ジクロロフェニル）−ピペラジン−１−イル］−エチル｝−Ｎ，Ｎ−ジメチルカルバモイルシクロヘキシルアミン塩酸塩、および／またはその水和物および／または溶媒和物および／または多形であることを特徴とする、請求項２２の使用。
【請求項２５】
式（Ｉ）の化合物の治療上の有効量が約０.１〜１２ｍｇであることを特徴とする、請求項２２〜２４のいずれか一つの使用。
【請求項２６】
式（Ｉ）の化合物の治療上の有効量が約０.５ｍｇであることを特徴とする、請求項２５の使用。
【請求項２７】
式（Ｉ）の化合物の治療上の有効量が約１.０ｍｇであることを特徴とする、請求項２５の使用。
【請求項２８】
式（Ｉ）の化合物の治療上の有効量が約１.５ｍｇであることを特徴とする、請求項２５の使用。
【請求項２９】
式（Ｉ）の化合物の治療上の有効量が約３.０ｍｇであることを特徴とする、請求項２５の使用。
【請求項３０】
式（Ｉ）の化合物の治療上の有効量が約４.５ｍｇであることを特徴とする、請求項２５の使用。
【請求項３１】
式（Ｉ）の化合物の治療上の有効量が約６ｍｇであることを特徴とする、請求項２５の使用。
【請求項３２】
式（Ｉ）の化合物の治療上の有効量が約９ｍｇであることを特徴とする、請求項２５の使用。
【請求項３３】
式（Ｉ）の化合物の治療上の有効量が約１２ｍｇであることを特徴とする、請求項２５の使用。
【請求項３４】
式（Ｉ）の化合物の治療上の有効量を１日１回、２回、３回または４回に分けて投与することを特徴とする、請求項２５〜３３のいずれか一つの使用。
【請求項３５】
統合失調症の認知症状の治療用であることを特徴とする、請求項２５〜３４のいずれか一つの使用。
【請求項３６】
統合失調症の陰性症状の治療用であることを特徴とする、請求項２５〜３４のいずれか一つの使用。
【請求項３７】
統合失調症の陽性症状の治療用であることを特徴とする、請求項２５〜３４のいずれか一つの使用。
【請求項３８】
統合失調症の認知症状の治療用であることを特徴とする、請求項２５〜３４のいずれか一つの使用。
【請求項３９】
統合失調症の情動性および残存症状の治療用であることを特徴とする、請求項２５〜３４のいずれか一つの使用。
【請求項４０】
統合失調症の二次的な社会的および職業的機能障害の治療用であることを特徴とする、請求項２５〜３４のいずれか一つの使用。
【請求項４１】
統合失調症様障害および統合失調感情障害の治療用であることを特徴とする、請求項２５〜３４のいずれか一つの使用。
【手続補正書】
【提出日】平成23年5月16日(2011.5.16)
【手続補正１】
【補正対象書類名】明細書
【補正対象項目名】０１３７
【補正方法】変更
【補正の内容】
【０１３７】
インビボでの研究：
ＳＷ６２０腫瘍は文献(Chapter 31(第３章) “In vivo Tumor response End Points” by B. A. Teicher (参照“Tumor Models in Cancer Research” edited by Beverly A. Teicher, p596. Published by Humana Press Inc. 2002)記載の通り、メスのヌードマウスにて実行した。腫瘍が〜１７０mm３に達した時点で処置を開始した。この研究では６群を使用し、ｎ＝１０匹／群とした。ＰＡＲＰ阻害剤、４−[３−(４−シクロプロパンカルボニル−ピペラジン−１−カルボニル)−４−フルオロ−ベンジル]−２Ｈ−フタラジン−１−オンは週に５回、５０mg／kg(経口)で与えた。ＣＨＫ阻害剤、５−(３−フルオロ−フェニル)−３−ウレイド−チオフェン−２−カルボン酸(Ｓ)−ピペリジン−３−イルアミドは、１２.５mg／kgおよび２５mg／kgとして、週２回(静脈内)投与した。組み合わせ剤群にはＰＡＲＰ阻害剤を５０mg／kg(週５回)で投与し、その２時間後にＣＨＫ阻害剤を１２.５または２５mg／kg(週２回)投与した。マウスは３週間の処置を受けた。全体として、処置には十分に耐え得るものであったが、ＣＨＫ阻害剤を２５mg／kgで投与した群の１匹の例においては、研究の終末点に至る前に死亡したことが判明した。最大の体重喪失％を示す結果を表３に示し、有効性の結果を表４に示す。
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
式Ｌｉ［ＬｉｘＭｎａＮｉｂＣｏｃＭ１ｄＭ２ｅ］Ｏ２
（式中、Ｍ１及びＭ２は異なる金属であって、Ｍｎ、Ｎｉ又はＣｏではなく、ａ、ｂ及びｃのうち少なくとも１つは＞０であり、
ｘ＋ａ＋ｂ＋ｃ＋ｄ＋ｅ＝１であり、−０．５≦ｘ≦０．２であり、０≦ａ≦０．８０であり、０≦ｂ≦０．７５であり、０≦ｃ≦０．８８であり、
０≦ｄ＋ｅ≦０．３０であり、ｄ及びｅのうち少なくとも１つは＞０である）を有するリチウムイオン電池用のカソード組成物であって、前記組成物が層状Ｏ３結晶構造を有する単相の形態である、カソード組成物。
【請求項２】
アノードと、
カソードと、
前記アノード及び前記カソードを分離する電解質と、
を含むリチウムイオン電気化学セルであって、
前記カソードが、Ｌｉ［ＬｉｘＭｎａＮｉｂＣｏｃＭ１ｄＭ２ｅ］Ｏ２
（式中、Ｍ１及びＭ２は異なる金属であって、Ｍｎ、Ｎｉ又はＣｏではなく、ａ、ｂ及びｃのうち少なくとも１つは＞０であり、
ｘ＋ａ＋ｂ＋ｃ＋ｄ＋ｅ＝１であり、−０．５≦ｘ≦０．２であり、０≦ａ≦０．８０であり、０≦ｂ≦０．７５であり、０≦ｃ≦０．８８であり、
０≦ｄ＋ｅ≦０．３０であり、ｄ及びｅの少なくとも１つが＞０である）を有する組成物を含み、前記組成物が層状Ｏ３結晶構造を有する単相の形態である、リチウムイオン電気化学セル。
【請求項３】
式Ｌｉ［ＬｉｘＭｎａＮｉｂＣｏｃＭ１ｄＭ２ｅ］Ｏ２を有するカソード組成物の前駆体を混合する工程と、
該前駆体を加熱して、該カソード組成物を生成する工程と、
を含むカソード組成物の製造方法であって、
式中、Ｍ１及びＭ２は異なる金属であって、Ｍｎ、Ｎｉ又はＣｏではなく、ａ、ｂ及びｃのうち少なくとも１つは＞０であり、
ｘ＋ａ＋ｂ＋ｃ＋ｄ＋ｅ＝１であり、−０．５≦ｘ≦０．２であり、０≦ａ≦０．８０であり、０≦ｂ≦０．７５であり、０≦ｃ≦０．８８であり、
０≦ｄ＋ｅ≦０．３０であり、ｄ及びｅの少なくとも１つが＞０であり、前記組成物が層状Ｏ３結晶構造を有する単相の形態である、方法。
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
凸状の上面を有する予応力底部シートと、
前記底部シートの周縁部の少なくとも一部に沿って配置される少なくとも１つの振動隔離装置と、
前記振動隔離装置と接触する底部を有する側壁であって、前記振動隔離装置により前記底部シートから隔離される側壁と、
前記底部シートに取り付けられた２つの各端部を有する少なくとも１つのストラップであって、バッテリの外側ケーシングの底面を前記底部シートの前記上面に当接させて担持するよう構成された少なくとも１つのストラップとから成るバッテリ外囲体。
【請求項２】
前記少なくとも１つの振動隔離装置は、前記底部シートの各角に配置される４つの振動隔離装置から成り、前記少なくとも１つのストラップは、４つのストラップから成り、
前記４つのストラップと前記バッテリの外面との間に配置される複合シートと、
前記複合シートと前記側壁との間に配置される複数の振動隔離装置とを更に含む、請求項１に記載のバッテリ外囲体。
【請求項３】
前記側壁は、Ｌ形であり、前記少なくとも１つの振動隔離装置は、前記Ｌ形側壁の内側の角に配置される、請求項１または２に記載のバッテリ外囲体。
【請求項４】
前記底部シートの底面に接続されるストラットを更に含む、請求項１乃至３のいずれか１項に記載のバッテリ外囲体。
【請求項５】
前記側壁は、Ｌ形であり、前記ストラットの断面は、Ｃ形であり、前記ストラットは、前記底部シートの前記底面にＸパターンをなして配置され、前記底部シートは、該底部シートの前記周縁部に沿って配置されるＳ形部材を含み、前記少なくとも１つの振動隔離装置は、前記Ｓ形部材と前記Ｌ形側壁の内側の角との間に配置され、前記Ｓ形部材の端部は、前記Ｃ形ストラットの底部と実質的に面一になる、請求項４に記載のバッテリ外囲体。
【請求項６】
第１の部分が前記側壁の一部をなし、該第１の部分に対して垂直をなす第２の部分がバッテリ外囲体を覆うように構成されるＬ形のカバーであって、該カバーの前記第２の部分は、前記側壁の上部に配置される軌道上にバッテリ外囲体に対して摺動的に挿脱されるＬ形カバーを更に含む、請求項１乃至５のいずれか１項に記載のバッテリ外囲体。
【請求項７】
前記底部シートに取り付けられて前記バッテリの外部構成要素を支持する複数のブラケットを更に含む、請求項１乃至６のいずれか１項に記載のバッテリ外囲体。
【請求項８】
前記少なくとも１つの振動隔離装置は、エラストマー材料である、請求項１乃至７のいずれか１項に記載のバッテリ外囲体。
【請求項９】
複数の母線によって相互接続される複数のセルと前記複数のセルを支持するボタンシートと前記ボタンシートと前記複数のセルとを取り巻く外側ケーシングとを含むバッテリと、凸状の上面を有する予応力底部シートと前記底部シートの対応する角に配置される少なくとも４つの振動隔離装置と前記少なくとも４つの振動隔離装置により前記底部シートから隔離される側壁と前記底部シートに取り付けられる２つの端部を有する４つの各ストラップと複数の複合シートと複数の振動隔離装置とＬ形カバーとを含むバッテリ外囲体とから成り、
前記Ｌ形カバーの第１の部分は、前記側壁の一部を形成し、前記第１の部分に対して垂直をなす前記Ｌ形カバーの第２の部分は、前記バッテリ外囲体を覆うように構成され、前記カバーの前記第２の部分は、前記側壁の上部に配置される軌道上において前記バッテリ外囲体に対して摺動的に挿脱されるように構成され、前記複数の隔離装置は、前記複合シート上に配置され、前記側壁は、前記複数の振動隔離装置により前記複合シートから分離され、前記バッテリの前記外側ケーシングの外面は、前記バッテリの前記複数のセルが実質的に平らになるように、前記ストラップにより前記底部シートの前記上面に圧接され、前記複合シートは、前記ストラップと前記バッテリとの間に配置される組合体。
【請求項１０】
前記底部シートは、自身の底面に配置されるストラットを含み、前記側壁は、Ｌ形であり、前記ストラットの断面は、Ｃ形であり、前記ストラットは、前記底部シートの前記底面上においてＸパターンをなして配置され、前記底部シートは、該底部シートの前記周縁部に沿って配置されるＳ形部材を含み、前記少なくとも４つの振動隔離装置は、前記Ｓ形部材と前記Ｌ形側壁の内側の角との間に配置され、前記Ｓ形部材の端部は、前記Ｃ形ストラットの底部と実質的に面一になる、請求項９に記載の組合体。
【請求項１１】
前記少なくとも４つの振動隔離装置は、エラストマー材料製であり、ばね定数と動的応答とその組み合わせから成る群から選択される前記エラストマー材料の物理的特性は、前記バッテリ外囲体の固有振動数、前記バッテリの固有振動数、前記バッテリ外囲体と前記バッテリとを搭載する自動車から伝達される振動の周波数スペクトル又はこれらの組み合わせに基づいて選択される、請求項９に記載の組合体。
【請求項１２】
自動車を更に含み、前記バッテリを自身内に有する前記バッテリ外囲体は、前記自動車内に配置される、請求項９に記載の組合体。
【請求項１３】
前記バッテリ外囲体は、前記自動車の構造部材に接続される少なくとも１つのラックマウント式ブラケット上の対応する溝と噛み合う少なくとも１つの凸部を更に含み、前記少なくとも１つのラックマウント式ブラケットは、
前記自動車の構造部材に接続される第１の部分を有する第１のフレーム部材であって、前記構造部材から略水平方向に延在する第１のフレーム部材と、
前記構造部材から離れて配置される前記第１の部材の第２の部分において前記第１のフレーム部材に接続される第１の端部と、前記構造部材に接続される、対角方向に延在する第２の端部とを有する第２のフレーム部材と、
前記第１の部材の前記第２の端部に接続されて前記第２の端部から略下方に延在する第３のフレーム部材とから成る、請求項１２に記載の組合体。
【請求項１４】
前記少なくとも１つのラックマウント式ブラケットは、前記第１の部材に対して実質的に平行に延在する第４のフレーム部材と、前記第１及び第４のフレーム部材に接続されるＣ溝形支持体とを更に含み、前記Ｃ溝形支持体は、バッテリ配線及び冷却用通路を形成するよう、前記構造部材に接続されており、前記少なくとも１つのラックマウント式ブラケットは、２つのバッテリ外囲体を上下に積み重ねて担持するよう構成される、請求項１３に記載の組合体。
【請求項１５】
バッテリをバッテリ外囲体に固定する方法であって、
複合シートを用いて前記バッテリの少なくとも一部を覆うステップと、
前記複合シートの上にストラップを配置するステップと、
前記ストラップの端部を前記バッテリ外囲体の底部シートに取り付けるステップと、
前記バッテリの底面を前記バッテリ外囲体の前記底部シートの予応力凸面に圧接して、前記バッテリの内部セルが実質的に平らに維持されるようにするステップとを含む方法。